(57)【要約】【課題】  ユーザーの撮影意図を反映させたバリエーション豊かなフォトムービーを作成する。【解決手段】  フォトムービー作成装置２のメモリ１１には、フォトムービー作成プログラム１５が記憶されている。フォトムービー作成プログラム１５が起動すると、ＣＰＵ１０には、動き検出部１７、編集条件決定部１８、および画像編集部１９が生成される。動き検出部１７は、デジタルカメラ１５で連写撮影により得られた一連の静止画像の前後コマの画像データの差分をとり、これを元に被写体の動きの大きさを検出する。編集条件決定部１８は、動き検出部１７の検出結果に応じて、連写撮影により得られた静止画像の編集の条件を決定する。画像編集部１９は、編集条件決定部１８から送信された条件に基づいて、連写撮影により得られた一連の静止画像を編集する。【選択図】        図１
2006060494.tif 000002
【特許請求の範囲】
【請求項１】
複数の静止画像を編集してフォトムービーを作成するフォトムービー作成方法であって、
連写撮影により得られた一連の静止画像の前後コマの画像データの差分をとり、これを元に被写体の動きの大きさを検出し、
この検出結果に応じて前記フォトムービーの編集条件を決定することを特徴とするフォトムービー作成方法。
【請求項２】
前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、
前記検出結果が前記基準値よりも小さい場合は、前記一連の静止画像内の前記被写体の動いている領域を拡大した部分が、撮影した順に切り替え表示されるように前記編集条件を決定することを特徴とする請求項１に記載のフォトムービー作成方法。
【請求項３】
前記フォトムービーで規定される標準の切り替え間隔以下の間隔は、前記連写撮影時の撮影時間間隔であることを特徴とする請求項２に記載のフォトムービー作成方法。
【請求項４】
複数の静止画像を編集してフォトムービーを作成するフォトムービー作成装置であって、
連写撮影により得られた一連の静止画像の前後コマの画像データの差分をとり、これを元に被写体の動きの大きさを検出する動き検出手段と、
この検出結果に応じて前記フォトムービーの編集条件を決定する編集条件決定手段とを備えたことを特徴とするフォトムービー作成装置。
【請求項５】
前記編集条件決定手段は、前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、
前記検出結果が前記基準値よりも小さい場合は、前記一連の静止画像内の前記被写体の動いている領域を拡大した部分が、撮影した順に切り替え表示されるように前記編集条件を決定することを特徴とする請求項４に記載のフォトムービー作成装置。
【請求項６】
前記フォトムービーで規定される標準の切り替え間隔以下の間隔は、前記連写撮影時の撮影時間間隔であることを特徴とする請求項５に記載のフォトムービー作成装置。
【請求項７】
複数の静止画像を編集してフォトムービーを作成することをコンピュータに実行させるためのフォトムービー作成プログラムであって、
連写撮影により得られた一連の静止画像の前後コマの画像データの差分をとり、これを元に被写体の動きの大きさを検出し、
この検出結果に応じて前記フォトムービーの編集条件を決定することを前記コンピュータに実行させることを特徴とするフォトムービー作成プログラム。
【請求項８】
前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、
前記検出結果が前記基準値よりも小さい場合は、前記一連の静止画像内の前記被写体の動いている領域を拡大した部分が、撮影した順に切り替え表示されるように前記編集条件を決定することを前記コンピュータに実行させることを特徴とする請求項７に記載のフォトムービー作成プログラム。
【請求項９】
前記フォトムービーで規定される標準の切り替え間隔以下の間隔は、前記連写撮影時の撮影時間間隔であることを特徴とする請求項８に記載のフォトムービー作成プログラム。
【発明の詳細な説明】
【技術分野】
【０００１】
本発明は、複数の静止画像を編集してフォトムービーを作成するフォトムービー作成方法および装置、並びに複数の静止画像を編集してフォトムービーを作成することをコンピュータに実行させるためのフォトムービー作成プログラムに関する。
【背景技術】
【０００２】
従来、デジタルカメラなどで撮影した複数の静止画像を編集してフォトムービーを作成する方法が種々提案されている（特許文献１および２参照）。このようなフォトムービー作成方法では、ユーザーが製作意図に応じて作成したシナリオに基づいて、画像の選択、変形（拡大・縮小、回転など）、変倍、マスク（画像の一部切り出し、貼り付け）、移動、合成などの各種処理を複数の静止画像に対して施し、フォトムービーを作成している。これにより得られたフォトムービーは、ユーザーが所有するパーソナルコンピュータのモニタで鑑賞するのは勿論のこと、ＤＶＤ（Digital Versatile Disk）などの記録媒体に記録したり、プリンタで印刷出力するなどして楽しむことができる。
【０００３】
一方、デジタルカメラの連写機能によって撮影された一連の静止画から動画を作成する画像編集装置が提案されている（特許文献３参照）。この画像編集装置では、動画ファイルを構成する各静止画の表示切り替え間隔が、連写時の撮影時間間隔となるように動画ファイルを作成している。
【０００４】
【特許文献１】特開平６−１４２９２号公報
【特許文献２】特開平６−３０３８０号公報
【特許文献３】特開２００４−６４３８３号公報
【発明の開示】
【発明が解決しようとする課題】
【０００５】
デジタルカメラによる連写撮影は、例えば、ゴルフのスウィングを連続的に撮影してフォームを確認する際や、子どもの表情のベストショットを探すために連続的に撮影する際など、様々な態様が考えられるが、特許文献３に記載の画像編集装置では、動画ファイルの作成時に撮影時間間隔のみを参考にしているため、必ずしもユーザーの撮影意図に応じた動画を作成できているとは言い難い。
【０００６】
本発明は、上記課題を鑑みてなされたものであり、ユーザーの撮影意図を反映させたバリエーション豊かなフォトムービーを作成することが可能なフォトムービー作成方法および装置、並びにフォトムービー作成プログラムを提供することを目的とする。
【課題を解決するための手段】
【０００７】
上記目的を達成するために、請求項１に記載の発明は、複数の静止画像を編集してフォトムービーを作成するフォトムービー作成方法であって、連写撮影により得られた一連の静止画像の前後コマの画像データの差分をとり、これを元に被写体の動きの大きさを検出し、この検出結果に応じて前記フォトムービーの編集条件を決定することを特徴とする。
【０００８】
なお、前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、前記検出結果が前記基準値よりも小さい場合は、前記一連の静止画像内の前記被写体の動いている領域を拡大した部分が、撮影した順に切り替え表示されるように前記編集条件を決定することが好ましい。また、前記フォトムービーで規定される標準の切り替え間隔以下の間隔は、前記連写撮影時の撮影時間間隔であることが好ましい。
【０００９】
請求項４に記載の発明は、複数の静止画像を編集してフォトムービーを作成するフォトムービー作成装置であって、連写撮影により得られた一連の静止画像の前後コマの画像データの差分をとり、これを元に被写体の動きの大きさを検出する動き検出手段と、この検出結果に応じて前記フォトムービーの編集条件を決定する編集条件決定手段とを備えたことを特徴とする。
【００１０】
なお、前記編集条件決定手段は、前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、前記検出結果が前記基準値よりも小さい場合は、前記一連の静止画像内の前記被写体の動いている領域を拡大した部分が、撮影した順に切り替え表示されるように前記編集条件を決定することが好ましい。また、前記フォトムービーで規定される標準の切り替え間隔以下の間隔は、前記連写撮影時の撮影時間間隔であることが好ましい。
【００１１】
請求項７に記載の発明は、複数の静止画像を編集してフォトムービーを作成することをコンピュータに実行させるためのフォトムービー作成プログラムであって、連写撮影により得られた一連の静止画像の前後コマの画像データの差分をとり、これを元に被写体の動きの大きさを検出し、この検出結果に応じて前記フォトムービーの編集条件を決定することを前記コンピュータに実行させることを特徴とする。
【００１２】
なお、前記検出結果が予め設定された基準値よりも大きい場合は、前記フォトムービーで規定される標準の切り替え間隔以下で、前記一連の静止画像が、撮影した順に切り替え表示されるように、あるいは、前記一連の静止画像が、同一の画面内で撮影した順に並べて表示されるように前記編集条件を決定し、前記検出結果が前記基準値よりも小さい場合は、前記一連の静止画像内の前記被写体の動いている領域を拡大した部分が、撮影した順に切り替え表示されるように前記編集条件を決定することを前記コンピュータに実行させることが好ましい。また、前記フォトムービーで規定される標準の切り替え間隔以下の間隔は、前記連写撮影時の撮影時間間隔であることが好ましい。
【発明の効果】
【００１３】
本発明のフォトムービー作成方法および装置、並びにフォトムービー作成プログラムによれば、連写撮影により得られた一連の静止画像の前後コマの画像データの差分をとり、これを元に被写体の動きの大きさを動き検出手段で検出し、この検出結果に応じて、編集条件決定手段でフォトムービーの編集条件を決定するので、ユーザーの撮影意図を反映させたバリエーション豊かなフォトムービーを作成することが可能となる。
【発明を実施するための最良の形態】
【００１４】
図１において、本発明を適用したフォトムービー作成装置２は、ＣＰＵ１０により全体を統括的に制御される。ＣＰＵ１０には、メモリ１１、モニタ１２、操作部１３、および通信Ｉ／Ｆ１４が接続されている。
【００１５】
メモリ１１には、フォトムービー作成装置２の起動時に必要な各種プログラムやデータをはじめ、フォトムービー作成プログラム１５が記憶されている。また、デジタルカメラ１６から通信Ｉ／Ｆ１４を介して送信される画像データや、作成したフォトムービーが記憶される。
【００１６】
モニタ１２は、前述の画像データやフォトムービーなどを表示する。操作部１３は、キーボードやマウスなどからなり、画像編集時の各種パラメータ設定時に操作される。ＣＰＵ１０は、この操作部１３の操作に応答して、フォトムービー作成装置２の各部の動作を制御する。通信Ｉ／Ｆ１４は、デジタルカメラ１６などの外部機器とのデータの送受信を行う。
【００１７】
デジタルカメラ１６は、連写撮影機能を備えている。ＣＰＵ１０は、デジタルカメラ１６から送信される画像データのＥｘｉｆタグに添付された撮影日時を参照して、画像データが連写撮影されたものであるか否かを判断し、時系列に沿ってそのコマ順を整理してメモリ１１に記憶する。
【００１８】
操作部１３の操作によりフォトムービー作成プログラム１５を起動すると、ＣＰＵ１０には、動き検出部１７、編集条件決定部１８、および画像編集部１９が生成される。動き検出部１７は、連写撮影により得られた一連の静止画像の前後コマの画像データの差分をとり、これを元に被写体の動きの大きさ、および動いている領域を検出する。
【００１９】
図２に模式的に示すように、被写体Ｏが画面の左から右方向に移動する撮影シーンを連写撮影する場合を例に説明すると、前のコマと後のコマの画像データの差分は、差分コマ中のハッチングで示す領域Ｄの面積に相当する。（Ｂ）に示すように、被写体Ｏの動きが大きい場合には、（Ａ）の場合と比較して領域Ｄの面積は大きくなる。動き検出部１７は、この領域Ｄの面積から被写体の動きの大きさを検出する。また、差分コマに占める領域Ｄの範囲から被写体の動いている領域を検出する。
【００２０】
編集条件決定部１８は、動き検出部１７の検出結果に応じて、連写撮影により得られた静止画像の編集の条件を決定する。具体的には、動き検出部１７の検出結果が予め設定された基準値よりも大きい場合（被写体の動きが大きい場合、例えば、ゴルフのスウィングを連続的に撮影した場合など）は、図３に示すように、フォトムービーで規定される標準の切り替え間隔（例えば３秒）以下、例としては連写撮影時の撮影時間間隔（例えば１秒）で、モニタ１２に、一連の静止画像（この例では８コマ）が、撮影した順に切り替え表示されるように条件を決定する。あるいは、図４に示すように、一連の静止画像が、モニタ１２に、同一の画面内で撮影した順に並べて表示されるように条件を決定する。なお、この場合、元の静止画像は、画面を分割する割合に応じて全体を縮小される。
【００２１】
一方、動き検出部１７の検出結果が基準値よりも小さい場合（被写体の動きが小さい場合、例えば、子どもの表情のベストショットを得るために連続的に撮影した場合など）は、図５に示すように、一連の静止画像内の動き検出部１７で検出した被写体の動いている領域を拡大した部分が、モニタ１２に撮影した順に切り替え表示されるように条件を決定する。編集条件決定部１８は、決定した条件を画像編集部１９に送信する。なお、編集条件決定部１８は、例えば、被写体の動く量が画像全体に対する所定の割合（例として１５％）を越えるのに要する時間が、連写撮影の撮影時間の半分以上か否かを、被写体の動きが大きいか小さいかの判断基準として用いる。この場合、連写撮影時の撮影時間間隔に応じて、上記所定の割合を変化させることが好ましい。
【００２２】
画像編集部１９は、編集条件決定部１８から送信された条件に基づいて、連写撮影により得られた一連の静止画像を編集する。また、ユーザーが製作意図に応じて操作部１３から入力したシナリオに基づいて、画像の選択、変形（拡大・縮小、回転など）、変倍、マスク（画像の一部切り出し、貼り付け）、移動、合成などの各種処理を施し、フォトムービーを作成する。ＣＰＵ１０は、操作部１３の操作に応じて、作成したフォトムービーをモニタ１２に表示するとともに、メモリ１１に記憶する。
【００２３】
次に、上記構成を有するフォトムービー作成装置２の処理手順について、図６のフローチャートを参照して説明する。まず、フォトムービー作成装置２の電源が投入されて、通信Ｉ／Ｆ１４を介してデジタルカメラ１６が接続され、デジタルカメラ１６からメモリ１１に画像データが取り込まれる。これと前後して、操作部１３が操作されてフォトムービー作成プログラム１５が起動される。
【００２４】
フォトムービー作成プログラムが起動されると、ＣＰＵ１０に動き検出部１７、編集条件決定部１８、および画像編集部１９が生成される。動き検出部１７では、連写撮影により得られた一連の静止画像の前後コマの画像データの差分がとられ、これを元に被写体の動きの大きさ、および動いている領域が検出される。
【００２５】
編集条件決定部１８では、動き検出部１７の検出結果に応じて、連写撮影により得られた静止画像の編集の条件が決定される。動き検出部１７の検出結果が予め設定された基準値よりも大きい場合は、フォトムービーで規定される標準の切り替え間隔以下、例として連写撮影時の撮影時間間隔で、モニタ１２に、一連の静止画像が、撮影した順に切り替え表示されるように条件が決定される。あるいは、モニタ１２に、同一の画面内で撮影した順に並べて表示されるように条件が決定される。
【００２６】
一方、動き検出部１７の検出結果が基準値よりも小さい場合は、一連の静止画像内の動き検出部１７で検出した被写体の動いている領域を拡大した部分が、モニタ１２に撮影した順に切り替え表示されるように条件が決定される。編集条件決定部１８で決定された条件は、画像編集部１９に送信される。
【００２７】
画像編集部１９では、編集条件決定部１８から送信された条件に基づいて、連写撮影により得られた一連の静止画像が編集される。また、ユーザーが製作意図に応じて操作部１３から入力したシナリオに基づいて、フォトムービーが作成される。作成されたフォトムービーは、モニタ１２に表示されるとともに、メモリ１１に記憶される。
【００２８】
上記のように、連写撮影により得られた一連の静止画像の被写体の動きの大きさを動き検出部１７で検出し、この検出結果に応じて編集条件決定部１８でフォトムービーの編集条件を決定するので、ユーザーの撮影意図を反映させたバリエーション豊かなフォトムービーを作成することが可能となる。
【００２９】
なお、上記実施形態で挙げた編集の条件は一例であり、本発明を特に限定するものではない。また、フォトムービー作成装置２にＤＶＤレコーダを内蔵させ、作成したフォトムービーをＤＶＤに記録したり、プリンタを接続してフォトムービーの１シーンを印刷出力してもよい。
【図面の簡単な説明】
【００３０】
【図１】本発明を適用したフォトムービー作成装置の構成を示すブロック図である。
【図２】被写体の動きの大きさを検出する際の手法を説明するための模式図であり、（Ａ）は被写体の動きが少ないとき、（Ｂ）は被写体の動きが大きいときをそれぞれ示す。
【図３】動き検出部の検出結果が基準値よりも大きい場合にモニタに表示されるフォトムービーの一例を示す図である。
【図４】動き検出部の検出結果が基準値よりも大きい場合にモニタに表示されるフォトムービーの一例を示す図である。
【図５】動き検出部の検出結果が基準値よりも小さい場合にモニタに表示されるフォトムービーの一例を示す図である。
【図６】フォトムービー作成装置の処理手順を示すフローチャートである。
【符号の説明】
【００３１】
２  フォトムービー作成装置
１０  ＣＰＵ
１５  フォトムービー作成プログラム
１７  動き検出部
１８  編集条件決定部
【図１】
2006060494.tif 000003
【図２】
2006060494.tif 000004
【図３】
2006060494.tif 000005
【図４】
2006060494.tif 000006
【図５】
2006060494.tif 000007
【図６】
2006060494.tif 000008